【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
コンテンツデータを階層構造の複数の管理単位で管理するコンテンツ管理装置に対して、当該階層構造の少なくとも一部の階層毎の上記管理単位を示す管理単位情報データをそれぞれ要求するための管理単位情報要求データを送信する送信手段と、
上記送信手段による上記管理単位情報要求データの送信に応じて上記コンテンツ管理装置から送信された上記管理単位情報データを受信する受信手段と、
上記受信手段により受信された上記管理単位情報データを記録媒体に記録保持して当該管理単位情報データの示す上記管理単位の上記階層構造を再構成階層構造として再構成する管理単位保持手段と
を具えることを特徴とする管理単位情報取得装置。
【請求項２】
上記管理単位保持手段により保持された上記管理単位情報データの示す上記管理単位を上記再構成された上記再構成階層構造で提示する提示手段と、
上記提示手段により上記再構成階層構造で提示された上記管理単位を任意に選択させるための選択手段と
を具え、
上記送信手段は、
上記選択手段を介して、上記階層構造に対する最下位階層の上記管理単位が選択されると、当該選択された上記管理単位で管理されている上記コンテンツデータを要求するためのコンテンツ要求データを上記コンテンツ管理装置に送信し、
上記受信手段は、
上記送信手段による上記コンテンツ要求データの送信に応じて上記コンテンツ管理装置から送信された上記コンテンツデータを受信する
ことを特徴とする請求項１に記載の管理単位情報取得装置。
【請求項３】
上記管理単位保持手段により保持された上記管理単位情報データの示す上記管理単位を上記再構成された上記再構成階層構造で提示する提示手段と、
上記提示手段により上記再構成階層構造で提示された上記管理単位を任意に選択させるための選択手段と
を具え、
上記送信手段は、
上記選択手段を介して選択された上記管理単位よりも１階層下位の上記管理単位を示す上記管理単位情報データを要求するための上記管理単位情報要求データを上記コンテンツ管理装置に送信し、
上記管理単位保持手段は、
上記受信手段により受信された上記管理単位情報データの示す上記管理単位の上記階層が、上記再構成階層構造内に存在しない場合、当該再構成階層構造に上記管理単位情報データの示す上記階層の上記管理単位を追加することにより上記再構成階層構造を更新する
ことを特徴とする請求項１に記載の管理単位情報取得装置。
【請求項４】
上記管理単位保持手段により保持された上記管理単位情報データの示す上記管理単位を上記再構成された上記再構成階層構造で提示する提示手段と、
上記提示手段により上記再構成階層構造で提示された上記管理単位を任意に選択させるための選択手段と
を具え、
上記送信手段は、
上記選択手段を介して、上記再構成階層構造に対する最下位階層より少なくとも１階層上位の上記管理単位が任意に選択されると、当該選択された上記管理単位よりも１階層下位の上記管理単位を示す上記管理単位情報データを要求するための上記管理単位情報要求データを上記コンテンツ管理装置に送信し、
上記管理単位保持手段は、
上記受信手段により受信された上記管理単位情報データの示す上記階層の上記管理単位が、上記再構成階層構造内の対応する上記階層の上記管理単位と異なる場合、当該再構成階層構造内で上記対応する上記階層の上記管理単位を上記管理単位情報データの示す上記階層の上記管理単位に変更することにより上記再構成階層構造を更新する
ことを特徴とする請求項１に記載の管理単位情報取得装置。
【請求項５】
上記管理単位保持手段により保持された上記管理単位情報データの示す上記管理単位を上記再構成された上記再構成階層構造で提示する提示手段と、
上記提示手段により上記再構成階層構造で提示された上記管理単位を任意に選択させるための選択手段と
を具え、
上記送信手段は、
上記選択手段を介して任意に選択された上記管理単位が上記コンテンツ管理装置で消去されていた場合、当該コンテンツ管理装置に対して、上記階層構造の全ての上記階層毎の上記管理単位を示す上記管理単位情報データを要求するための上記管理単位情報要求データを送信し、
上記管理単位保持手段は、
上記受信手段により受信された上記階層構造の全ての上記階層毎の上記管理単位情報データに基づいて、上記再構成階層構造全体を再構成し直して更新する
ことを特徴とする請求項１に記載の管理単位情報取得装置。
【請求項６】
上記管理単位保持手段により保持された上記管理単位情報データの示す上記管理単位を上記再構成された上記再構成階層構造で提示する提示手段と、
上記提示手段により上記再構成階層構造で提示された上記管理単位を任意に選択させるための選択手段と
を具え、
上記送信手段は、
上記選択手段を介して、上記再構成階層構造に対する最下位階層より少なくとも１階層上位の上記管理単位が任意に選択されると、当該選択された上記管理単位よりも１階層下位の上記管理単位を示す上記管理単位情報データを要求するための上記管理単位情報要求データを上記コンテンツ管理装置に送信し、
上記管理単位保持手段は、
上記受信手段により受信された上記管理単位情報データの示す上記階層の上記管理単位と、上記選択された上記管理単位とを階層の上下関係を復元するように関連付けて上記階層構造を上記再構成階層構造として再構成する
ことを特徴とする請求項１に記載の管理単位情報取得装置。
【請求項７】
コンテンツデータを階層構造の複数の管理単位で管理するコンテンツ管理装置に対して、当該階層構造の少なくとも一部の階層毎の上記管理単位を示す管理単位情報データをそれぞれ要求するための管理単位情報要求データを送信する送信ステップと、
上記管理単位情報要求データの送信に応じて上記コンテンツ管理装置から送信された上記管理単位情報データを受信する受信ステップと、
上記受信された上記管理単位情報データを記録媒体に記録保持して当該管理単位情報データの示す上記管理単位の上記階層構造を再構成階層構造として再構成する管理単位保持ステップと
を具えることを特徴とする管理単位情報取得方法。
【請求項８】
コンテンツデータを階層構造の複数の管理単位で管理するコンテンツ管理手段と、
上記階層構造の少なくとも一部の階層毎の上記管理単位を示す管理単位情報データを取得し、当該取得した上記管理単位情報データを記録媒体に記録保持して当該管理単位情報データの示す上記管理単位の上記階層構造を再構成階層構造として再構成する管理単位情報取得装置から、上記再構成階層構造の上記管理単位が任意に選択管理単位として選択されたことにより送信された、当該選択管理単位よりも１階層下位の上記管理単位を示す上記管理単位情報データを要求するための管理単位情報要求データを受信する受信手段と、
上記受信手段により受信された上記管理単位情報要求データに応じて、上記選択管理単位が上記階層構造内に存在するか否かを判断する判断手段と、
上記判断手段により上記選択管理単位が上記階層構造内に存在すると判断されると、当該選択管理単位よりも１階層下位の上記管理単位を示す上記管理単位情報データを上記管理単位情報取得装置に送信し、上記判断手段により上記選択管理単位が上記階層構造内に存在しないと判断されると、当該選択管理単位の消去を通知する管理単位消去通知データを上記管理単位情報取得装置に送信する送信手段と
を具え、
上記受信手段は、
上記送信手段による上記管理単位消去通知データの送信に応じて、上記管理単位情報取得装置から上記再構成階層構造全体を再構成し直して更新するために送信された、上記階層構造の全ての上記階層毎の上記管理単位を示す上記管理単位情報データを要求するための上記管理単位情報要求データを受信し、
上記送信手段は、
上記受信手段により受信された上記管理単位情報要求データに応じて、上記階層構造の全ての上記階層毎の上記管理単位を示す上記管理単位情報データを上記管理単位情報取得装置に送信する
ことを特徴とするコンテンツ管理装置。
【請求項９】
コンテンツデータを階層構造の複数の管理単位で管理する際の当該階層構造の少なくとも一部の階層毎の上記管理単位を示す管理単位情報データを取得し、当該取得した上記管理単位情報データを記録媒体に記録保持して当該管理単位情報データの示す上記管理単位の上記階層構造を再構成階層構造として再構成する管理単位情報取得装置から、上記再構成階層構造の上記管理単位が任意に選択管理単位として選択されたことにより送信された、当該選択管理単位よりも１階層下位の上記管理単位を示す上記管理単位情報データを要求するための管理単位情報要求データを受信する要求データ受信ステップと、
上記受信された上記管理単位情報要求データに応じて、上記選択管理単位が上記階層構造内に存在するか否かを判断する判断ステップと、
上記選択管理単位が上記階層構造内に存在すると判断されると、当該選択管理単位よりも１階層下位の上記管理単位を示す上記管理単位情報データを上記管理単位情報取得装置に送信し、上記選択管理単位が上記階層構造内に存在しないと判断されると、当該選択管理単位の消去を通知する管理単位消去通知データを上記管理単位情報取得装置に送信する送信ステップと
上記管理単位消去通知データの送信に応じて、上記管理単位情報取得装置から上記再構成階層構造全体を再構成し直して更新するために送信された、上記階層構造の全ての上記階層毎の上記管理単位を示す上記管理単位情報データを要求するための上記管理単位情報要求データを受信する全管理単位情報要求データ受信ステップと、
上記受信された上記管理単位情報要求データに応じて、上記階層構造の全ての上記階層毎の上記管理単位を示す上記管理単位情報データを上記管理単位情報取得装置に送信する全管理単位情報データ送信ステップと
を具えることを特徴とする管理単位情報提供方法。
【請求項１０】
情報処理装置に対して、
コンテンツデータを階層構造の複数の管理単位で管理するコンテンツ管理装置に対して、当該階層構造の少なくとも一部の階層毎の上記管理単位を示す管理単位情報データをそれぞれ要求するための管理単位情報要求データを送信する送信ステップと、
上記管理単位情報要求データの送信に応じて上記コンテンツ管理装置から送信された上記管理単位情報データを受信する受信ステップと、
上記受信された上記管理単位情報データを記録媒体に記録保持して当該管理単位情報データの示す上記管理単位の上記階層構造を再構成階層構造として再構成する管理単位保持ステップと
を実行させるための管理単位情報取得プログラム。
【請求項１１】
情報処理装置に対して、
コンテンツデータを階層構造の複数の管理単位で管理する際の当該階層構造の少なくとも一部の階層毎の上記管理単位を示す管理単位情報データを取得し、当該取得した上記管理単位情報データを記録媒体に記録保持して当該管理単位情報データの示す上記管理単位の上記階層構造を再構成階層構造として再構成する管理単位情報取得装置から、上記再構成階層構造の上記管理単位が任意に選択管理単位として選択されたことにより送信された、当該選択管理単位よりも１階層下位の上記管理単位を示す上記管理単位情報データを要求するための管理単位情報要求データを受信する要求データ受信ステップと、
上記受信された上記管理単位情報要求データに応じて、上記選択管理単位が上記階層構造内に存在するか否かを判断する判断ステップと、
上記選択管理単位が上記階層構造内に存在すると判断されると、当該選択管理単位よりも１階層下位の上記管理単位を示す上記管理単位情報データを上記管理単位情報取得装置に送信し、上記選択管理単位が上記階層構造内に存在しないと判断されると、当該選択管理単位の消去を通知する管理単位消去通知データを上記管理単位情報取得装置に送信する送信ステップと
上記管理単位消去通知データの送信に応じて、上記管理単位情報取得装置から上記再構成階層構造全体を再構成し直して更新するために送信された、上記階層構造の全ての上記階層毎の上記管理単位を示す上記管理単位情報データを要求するための上記管理単位情報要求データを受信する全管理単位情報要求データ受信ステップと、
上記受信された上記管理単位情報要求データに応じて、上記階層構造の全ての上記階層毎の上記管理単位を示す上記管理単位情報データを上記管理単位情報取得装置に送信する全管理単位情報データ送信ステップと
を実行させるための管理単位情報提供プログラム。